(57)【要約】  フェムトセル（２１０）を介する、より詳細にはインターネット（２４０）に接続されたフェムトセル（２１０）を介するゲスト端末デバイス（２２５）によるマクロモバイルオペレータコアネットワーク（２５０）へのアクセスを管理するための方法。たとえば、ゲストが人の家にいる間に、または客が店にいる間に、または旅行者が駅にいる間に、ゲスト端末がサイトにおいてネットワークサービスへのゲストアクセスを探すと、そのサイトの所有者とマクロモバイルオペレータコアネットワーク（２５０）との間の情報交換によってアクセスが与えられ得る。コアネットワークにワイヤレスに接続された端末デバイス（２２０）によって、またはインターネットに接続されたデバイスによって、その所有者を介してアクセスが与えられ得る。アクセスが与えられると、ゲスト端末デバイス（２２５）は、サイトの近傍にあるフェムトセル（２１０）との通信を開始するために十分な情報を受信し、それによってインターネットベースの通信を使用し始める。
2011501525.tif 000002
【特許請求の範囲】
【請求項１】
少なくとも１つのフェムトセルを介するゲスト端末デバイスのコアネットワークアクセスを管理するための方法であって、
少なくとも１つのフェムトセルに関する情報を記憶することと、
前記フェムトセルに関する前記情報を前記ゲスト端末デバイスに転送することと、
少なくとも１つのフェムトセルを前記ゲスト端末デバイスが使用することを許可することと、
前記情報を使用して前記フェムトセルを介する前記ゲスト端末デバイスへのネットワークアクセスを確立することと、
を備える方法。
【請求項２】
少なくとも１つのフェムトセルに関する情報を前記記憶することは、加入者端末デバイスから受信された情報を含む、請求項１に記載の方法。
【請求項３】
前記フェムトセルに前記ゲスト端末デバイスがアクセスすることを許可することは、前記加入者端末デバイスから前記コアネットワークに前記情報を転送することを備える、請求項２に記載の方法。
【請求項４】
前記ゲスト端末デバイスへのネットワークアクセスを前記確立することは、ブロードバンドリンクを介したインターネットへのアクセス、コアネットワークベースのアプリケーションへのアクセス、インターネットベースのアプリケーションへのアクセスのうちの少なくとも１つを含む、請求項１に記載の方法。
【請求項５】
少なくとも１つのフェムトセルをゲスト端末デバイスが使用することを前記許可することは、ゲスト確認を含む、請求項１に記載の方法。
【請求項６】
少なくとも１つのフェムトセルに関する情報を前記記憶することは、少なくとも１つの特定の端末識別通し番号のためのフィールド、ゲストステータス許可を記憶するためのビット、少なくとも１つのタイムスタンプを記憶するためのフィールド、少なくとも１つのフェムトセルＩＤを記憶するためのフィールド、少なくとも１つのフェムトコンスタレーションデータベースエントリを記憶するためのフィールド、のうちの少なくとも１つを備える、請求項１に記載の方法。
【請求項７】
少なくとも１つのフェムトセルに関する情報を前記記憶することは、ＳＩＤ、ＮＩＤ、フェムトＩＤ、マクロ（Macro）ＢＳセット、パイロット（Pilot）Ｅｃ／Ｉｏしきい値ベクトル、平均パイロット位相ベクトル、パイロット位相偏移ベクトル、のうちの少なくとも１つを記憶するためのフィールドを与えることを備える、請求項１に記載の方法。
【請求項８】
少なくとも１つのアクセスデータベースエントリを前記確立することは、明示的拒否特性エントリ、搬送波拒否エントリ、コアネットワークアプリケーション拒否エントリ、インターネットアドレス拒否エントリ、インターネットアプリケーション拒否エントリ、のうちの少なくとも１つを含む、請求項１に記載の方法。
【請求項９】
ゲスト端末デバイスが少なくとも１つのフェムトセルを使用することを前記許可することは、制限モード、プロミスキャスモード、無料モード、料金モード、時間ベースのアクセス制限モード、あらかじめ許可されたゲストモード、任意の数の許可されたフェムトセル間でローミングするためのローミングモード、のうちの少なくとも１つを含む、請求項１に記載の方法。
【請求項１０】
前記ユーザ機器端末へのネットワークアクセスを前記確立することは、ＣＤＭＡ、ＴＤＭＡ、ＦＤＭＡ、ＧＳＭ、のうちの少なくとも１つを使用するアクセスを含む、請求項１に記載の方法。
【請求項１１】
少なくとも１つのフェムトセルを介するゲスト端末デバイスのコアネットワークアクセスを管理するためのワイヤレス通信システムであって、
少なくとも１つのフェムトセルに関する情報を記憶するためのコアネットワークコンピューティングプラットフォームと、
前記フェムトセルに関する前記情報を受信するためのゲスト端末と、
前記フェムトセルを介する前記ゲスト端末デバイスとのネットワーク通信を行うための少なくとも１つの前記フェムトセルと、
を備える、ワイヤレス通信システム。
【請求項１２】
少なくとも１つのゲスト端末デバイスを識別するための加入者端末デバイスをさらに備える、請求項１１に記載のワイヤレス通信システム。
【請求項１３】
少なくとも１つのフェムトセルに関する情報を記憶するための前記コアネットワークコンピューティングプラットフォームは、前記加入者端末デバイスから受信された情報を含む、請求項１２に記載のワイヤレス通信システム。
【請求項１４】
前記情報を受信するための前記ゲスト端末は、前記コアネットワークから前記情報を受信することを備える、請求項１１に記載のワイヤレス通信システム。
【請求項１５】
前記情報を受信するための前記ゲスト端末は、ゲスト確認を受信することを含む、請求項１１に記載のワイヤレス通信システム。
【請求項１６】
少なくとも１つのフェムトセルに関する情報を記憶するための前記コアネットワークコンピューティングプラットフォームは、少なくとも１つの特定の端末識別通し番号のためのフィールド、ゲストステータス許可のためのビット、少なくとも１つのタイムスタンプのためのフィールド、少なくとも１つのフェムトセルＩＤを記憶するためのフィールド、少なくとも１つのフェムトコンスタレーションデータベースエントリを記憶するためのフィールド、のうちの少なくとも１つを記憶することを備える、請求項１１に記載のワイヤレス通信システム。
【請求項１７】
少なくとも１つのフェムトセルに関する情報を記憶するための前記コアネットワークコンピューティングプラットフォームは、ＳＩＤ、ＮＩＤ、フェムトＩＤ、マクロＢＳセット、パイロットＥｃ／Ｉｏしきい値ベクトル、平均パイロット位相ベクトル、パイロット位相偏移ベクトル、のうちの少なくとも１つを記憶することを備える、請求項１１に記載のワイヤレス通信システム。
【請求項１８】
前記フェムトセルに関する前記情報を受信するための前記ゲスト端末は、制限モード、プロミスキャスモード、無料モード、料金モード、時間ベースのアクセス制限モード、あらかじめ許可されたゲストモード、ローミング、のうちの少なくとも１つを受信すること含む、請求項１１に記載のワイヤレス通信システム。
【請求項１９】
ネットワーク通信を行うための前記フェムトセルは、ＣＤＭＡ、ＴＤＭＡ、ＦＤＭＡ、ＧＳＭ、のうちの少なくとも１つを使用するネットワーク通信を行うことを含む、請求項１１に記載のワイヤレス通信システム。
【請求項２０】
少なくとも１つのコンピュータに、少なくとも１つのフェムトセルに関する情報を記憶させるためのコードと、
少なくとも１つのコンピュータに、少なくとも１つの前記フェムトセルをゲスト端末デバイスが使用することを許可させるためのコードと、
少なくとも１つのコンピュータに、前記フェムトセルを介するネットワークアクセスセッションの前記ゲスト端末デバイスへの許可を解除させるためのコードと、
を備えるコンピュータ可読媒体、
を備えるコンピュータプログラム製品。
【請求項２１】
少なくとも１つのフェムトセルに関する情報を前記記憶することは、加入者端末デバイスから受信された情報を含む、請求項２０に記載のコンピュータプログラム製品。
【請求項２２】
前記コンピュータ可読媒体は、少なくとも１つのコンピュータに、前記加入者端末デバイスから前記コアネットワークに前記情報を転送させるためのコードをさらに備える、請求項２１に記載のコンピュータプログラム製品。
【請求項２３】
少なくとも１つのフェムトセルをゲスト端末デバイスが使用することを前記許可することは、ゲスト確認を含む、請求項２０に記載のコンピュータプログラム製品。
【請求項２４】
前記コンピュータ可読媒体は、少なくとも１つのコンピュータに、少なくとも１つの特定の端末識別通し番号のためのフィールド、ゲストステータス許可を記憶するためのビット、少なくとも１つのタイムスタンプを記憶するためのフィールド、少なくとも１つのフェムトセルＩＤを記憶するためのフィールド、少なくとも１つのフェムトコンスタレーションデータベースエントリを記憶するためのフィールド、のうちの少なくとも１つを記憶させるためのコードをさらに備える、請求項２０に記載のコンピュータプログラム製品。
【請求項２５】
前記コンピュータ可読媒体は、少なくとも１つのコンピュータに、ＳＩＤ、ＮＩＤ、フェムトＩＤ、マクロＢＳセット、パイロットＥｃ／Ｉｏしきい値ベクトル、平均パイロット位相ベクトル、パイロット位相偏移ベクトル、のうちの少なくとも１つを記憶するためのフィールドを与えさせるためのコードをさらに備える、請求項２０に記載のコンピュータプログラム製品。
【請求項２６】
前記コンピュータ可読媒体は、少なくとも１つのコンピュータに、明示的拒否特性エントリ、搬送波拒否エントリ、コアネットワークアプリケーション拒否エントリ、インターネットアドレス拒否エントリ、インターネットアプリケーション拒否エントリ、のうちの少なくとも１つを許可させるためのコードをさらに備える、請求項２０に記載のコンピュータプログラム製品。
【請求項２７】
前記コンピュータ可読媒体は、少なくとも１つのコンピュータに、制限モード、プロミスキャスモード、無料モード、料金モード、時間ベースのアクセス制限モード、あらかじめ許可されたゲストモード、任意の数の許可されたフェムトセル間でローミングするためのローミングモード、のうちの少なくとも１つを許可させるためのコードをさらに備える、請求項２０に記載のコンピュータプログラム製品。
【請求項２８】
少なくとも１つのフェムトセルを介するゲスト端末デバイスのコアネットワークアクセスを管理するための装置であって、
少なくとも１つのフェムトセルに関する情報を記憶するための手段と、
前記フェムトセルに関する前記情報を前記ゲスト端末デバイスに転送するための手段と、
少なくとも１つのフェムトセルを前記ゲスト端末デバイスが使用することを許可するための手段と、
前記情報を使用して前記フェムトセルを介する前記ゲスト端末デバイスへのネットワークアクセスを確立するための手段と、
を備える装置。
【請求項２９】
加入者端末デバイスから受信された情報を記憶するための手段をさらに備える、請求項２８に記載の装置。
【請求項３０】
前記加入者端末デバイスから前記コアネットワークに前記情報を転送するための手段をさらに備える、請求項２９に記載の装置。
【請求項３１】
前記ゲスト端末デバイスへのネットワークアクセスを確立するための前記手段は、ブロードバンドリンクを介したインターネットへのアクセス、コアネットワークベースのアプリケーションへのアクセス、インターネットベースのアプリケーションへのアクセス、のうちの少なくとも１つの手段をさらに備える、請求項２８に記載の装置。
【発明の詳細な説明】
【技術分野】
【０００１】
本特許出願は、本出願の譲受人に譲渡され、参照により本明細書に明確に組み込まれる、２００７年１０月１２日に出願された「SYSTEM AND METHOD FOR ENABLING TRANSACTION OF FEMTO CELL INFORMATION FROM A HOST TERMINAL DEVICE TO A GUEST TERMINAL DEVICE」と題する仮出願第６０／９７９，８００号の優先権を主張する。
【０００２】
本出願は、一般にワイヤレス通信に関し、より詳細には、ゲスト端末へのアクセスポイント基地局に関する情報のトランザクションのための方法およびシステムに関する。
【背景技術】
【０００３】
ワイヤレス通信システムは、様々なタイプの通信（たとえば、音声サービス、データサービス、マルチメディアサービスなど）を複数のユーザに提供するために広く展開されている。高速なマルチメディアデータサービスの需要が急速に増大するにつれて、向上したパフォーマンスをもつ効率的で頑強な通信システムを実装することが課題となっている。
【０００４】
近年、ユーザは、固定回線通信の代わりにモバイル通信を使用し始めており、より高い音声品質、確実なサービス、および低価格をますます要求している。
【０００５】
現在展開されている携帯電話ネットワークに加えて、ユーザの家に設置され、既存のブロードバンドインターネット接続を使用してモバイルユニットに屋内ワイヤレスカバレージを与えることができる小さい基地局の新しいクラスが出現した。そのようなパーソナル小型基地局は、一般に、アクセスポイント基地局、または、代替的に、Ｈｏｍｅ  ＮｏｄｅＢ（ＨＮＢ）、または、代替的に、フェムトセルとして知られている。一般に、そのような小型基地局（フェムトセル）は、ルータまたはモデムを介してインターネットおよびモバイルオペレータのネットワークに接続される。
【０００６】
しかしながら、フェムトセルの重大な問題の１つは「発見」、すなわち、モバイルデバイスがどのようにフェムトセルの認識およびフェムトセルへの許可アクセスを得るかである。周波数全体を頻繁に走査する技法が使用できるが、その技法はデバイスのバッテリを消耗し得る。使用されるフェムトシステム解決策によっては、少なくともモバイルユニットが特定のフェムトセルに登録しようと試みるまで、モバイルユニットは、そのフェムトセルを使用することが許されているか否かを知らないことがある。これは、さらなるバッテリの消耗を生じる。
【０００７】
そのような従来の試みのこれらおよび他の制限が、本明細書で開示する本発明の動機である。
【図面の簡単な説明】
【０００８】
【図１】一実施形態による、フェムトセルを含む例示的なワイヤレス通信システムを示す図。
【図２】一実施形態による、ネットワーク環境内でフェムトセルの展開を可能にする例示的な通信システムを示す図。
【図３】一実施形態による、ホスト端末デバイスからゲスト端末デバイスへのフェムトセル情報のトランザクションを可能にするためのシステムの流れ図。
【図４】一実施形態による、アクセスデータベースエントリを確立するための例示的なシステムの流れ図。
【図５】一実施形態による、ゲスト端末デバイスにフェムトセルネットワークアクセスを許可する例示的なシステムの流れ図。
【図６】一実施形態による、ゲスト端末デバイスへのネットワークアクセスを確立および終了する例示的なシステムの流れ図。
【図７Ａ】一実施形態による、ネットワーク環境内でアクセスポイント基地局の展開を可能にする例示的な通信プロトコルを示す図。
【図７Ｂ】通信コンポーネントのいくつかの例示的な態様の簡略ブロック図。
【図８】本明細書の実施形態で教示するフェムトセル情報のトランザクションを可能にするように構成された装置のいくつかの例示的な態様の簡略ブロック図。
【図９】本明細書の実施形態で教示するフェムトセル情報のトランザクションを可能にするように構成された装置のいくつかの例示的な態様の簡略ブロック図。
【図１０】本明細書の実施形態で教示するフェムトセル情報のトランザクションを可能にするように構成された装置のいくつかの例示的な態様の簡略ブロック図。
【発明を実施するための形態】
【０００９】
「例示的」という単語は、本明細書では「例、事例、または例示の働きをすること」を意味するために使用する。本明細書に「例示的」と記載されたいかなる実施形態も、必ずしも他の実施形態よりも好ましいまたは有利であると解釈されるべきではない。本明細書で説明する技法は、符号分割多重接続（ＣＤＭＡ：Code Division Multiple Access）ネットワーク、時分割多重接続（ＴＤＭＡ：Time Division Multiple Access）ネットワーク、周波数分割多重接続（ＦＤＭＡ：Frequency Division Multiple Access）ネットワーク、直交ＦＤＭＡ（ＯＦＤＭＡ：Orthogonal FDMA）ネットワーク、シングルキャリアＦＤＭＡ（ＳＣ−ＦＤＭＡ：Single-Carrier FDMA）ネットワークなど様々なワイヤレス通信ネットワークに対して使用できる。「ネットワーク」および「システム」という用語は、しばしば互換的に使用される。ＣＤＭＡネットワークは、汎用地上波無線アクセス（ＵＴＲＡ：Universal Terrestrial Radio Access）、ｃｄｍａ２０００などの無線技術を実装することができる。ＵＴＲＡは、広帯域ＣＤＭＡ（Ｗ−ＣＤＭＡ：Wideband-CDMA）および低チップレート（ＬＣＲ：Low Chip Rate）を含む。ｃｄｍａ２０００は、ＩＳ−２０００、ＩＳ−９５、およびＩＳ−８５６規格をカバーする。ＴＤＭＡネットワークは、広域移動体通信システム（ＧＳＭ：Global System for Mobile Communications）などの無線技術を実装することができる。ＯＦＤＭＡネットワークは、進化型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施することができる。ＵＴＲＡ、Ｅ−ＵＴＲＡ、およびＧＳＭは、ユニバーサル移動体通信システム（ＵＭＴＳ：Universal Mobile Telecommunication System）の一部である。ロングタームエボリューション（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ：3rd Generation Partnership Project）という名称の組織からの文書に記載されている。ｃｄｍａ２０００は、「第３世代パートナーシッププロジェクト２」（３ＧＰＰ２：3rd Generation Partnership Project 2）という名称の組織からの文書に記載されている。これらの様々な無線技術および規格は当技術分野で知られている。
【００１０】
本明細書の説明では、相対的に広いエリアにわたるカバレージを与えるノードはマクロノードと呼ばれることができ、一方、比較的小さいエリア（たとえば、住居）にわたるカバレージを与えるノードはフェムトノードと呼ばれることができる。本明細書の教示は、他のタイプのカバレージエリアに関連するノードに適用できる場合があることを諒解されたい。たとえば、ピコノードは、マクロエリアよりも小さく、フェムトエリアよりも大きいエリア（たとえば、商業建築物内のカバレージ）にわたるカバレージを与えることができる。様々な適用例では、マクロノード、フェムトノードまたは他のアクセスポイントタイプのノードを指すために他の用語が使用されることができる。たとえば、マクロノードは、アクセスノード、基地局、アクセスポイント、ｅＮｏｄｅＢ、マクロセルなどとして構成される、または呼ばれることができる。また、フェムトノードは、Ｈｏｍｅ  ＮｏｄｅＢ、Ｈｏｍｅ  ｅＮｏｄｅＢ、アクセスポイント基地局、フェムトセルなどとして構成される、または呼ばれることができる。いくつかの実装形態では、ノードは、１つまたは複数のセルまたはセクタに関連付けられる（たとえば、分割される）ことができる。マクロノード、フェムトノード、またはピコノードに関連付けられたセルまたはセクタは、それぞれ、マクロセル、フェムトセル、またはピコセルと呼ばれることができる。次に、どのようにフェムトノードをネットワーク中で展開することができるかの簡略例について、図１および図２を参照しながら説明する。
【００１１】
図１は、様々な開示する実施形態および態様が実装されることができる、多数のユーザをサポートするように構成された例示的なワイヤレス通信システム１００を示す。図１に示すように、例として、システム１００は、対応する１つまたは複数のアクセスポイント（ＡＰ）１０４、たとえばＡＰ１０４ａ〜１０４ｇによってサービスされる、たとえばマクロセル１０２ａ〜１０２ｇなど、複数のセル１０２の通信を提供する。各マクロセルは、１つまたは複数のセクタ（図示せず）にさらに分割されることができる。さらに図１に示すように、ＡＴ１０６ａ〜１０６ｌを含み、ユーザ機器（ＵＥ）または移動局（ＭＳ）、あるいは端末デバイスとしても互換的に知られる、様々なアクセス端末（ＡＴ）デバイス１０６は、システム全体にわたって様々な位置に分散されることができる。各ＡＴ１０６は、たとえば、そのＡＴがアクティブであるかどうか、およびそのＡＴがソフトハンドオフ中であるかどうかに応じて、所与の時点において順方向リンク（ＦＬ）および／または逆方向リンク（ＲＬ）上で１つまたは複数のＡＰ１０４と通信することができる。ワイヤレス通信システム１００は広い地理的領域にわたってサービスを提供することができる。たとえば、マクロセル１０２ａ〜１０２ｇは、近隣内の数ブロックまたは田舎の環境では数平方マイルのみをカバーすることができる。
【００１２】
図２は、ネットワーク環境内でフェムトセル（アクセスポイント基地局）としても知られるフェムトノードの展開を可能にする例示的な通信システムを示す。図２に示すように、システム２００は、複数のフェムトノード、または代替として、フェムトセル、アクセスポイント基地局、Ｈｏｍｅ  ＮｏｄｅＢ（ＨＮＢ）ユニット、たとえばＨＮＢ２１０などを含み、各々は、対応する比較的小さいカバレージネットワーク環境、たとえば１つまたは複数のサイト２３０中などに設置され、たとえば、関連するユーザ機器２２０ならびに異なるユーザ機器２２５にサービスするように構成される。各ＨＮＢ２１０は、インターネット２４０などワイドエリアネットワークに結合され、さらにそれを介して通信するように構成され、（「コアネットワーク」とも呼ばれる）マクロモバイルオペレータコアネットワーク２５０を含むインターネット上のノードに結合されることができる。例示的な構成では、サイトは、ＤＳＬルータおよび／またはケーブルモデム２６０１、２６０２〜２６０Ｎを含むことができる。図示のように、端末デバイス２２０とマクロモバイルオペレータコアネットワーク２５０との間に少なくとも２つの通信経路、すなわち、マクロセルアクセス２７０を含む経路と、インターネット２４０を含む経路とがある。
【００１３】
本明細書で説明する実施形態は３ＧＰＰ用語を使用しているが、実施形態は、３ＧＰＰ（Ｒｅｌ９９、Ｒｅｌ５、Ｒｅｌ６、Ｒｅｌ７など）技術だけでなく、３ＧＰＰ２（１ｘＲＴＴ、１ｘＥＶ−ＤＯ  Ｒｅｌ０、ＲｅｖＡ、ＲｅｖＢなど）技術、ならびに他の知られている関連する技術にも適用できることを理解されたい。本明細書で説明するそのような実施形態では、ＨＮＢ２１０の所有者は、マクロモバイルオペレータコアネットワーク２５０によって提供されるモバイルサービス、たとえば、３Ｇモバイルサービスなどに加入し、ＵＥ２２０は、マクロセルラ環境とＨＮＢベースの小さいカバレージネットワーク環境との両方において動作することが可能である。したがって、ＨＮＢ２１０は、既存のＵＥ２２０との旧版互換性に適合される。
【００１４】
上記から明らかなように、マクロモバイルオペレータコアネットワーク２５０によって直接サービスされるネットワークアクセスに加えて、ＵＥ２２０は、１つまたは複数のＨＮＢによって間接的にネットワークアクセスをサービスされる。そのような場合、ＵＥ２２０とマクロモバイルオペレータコアネットワーク２５０との間の終端間通信は、ＨＮＢ２１０を通して、およびインターネット２４０を通して行われることができる。１つまたは複数のＵＥは、１つまたは複数のあらかじめ許可されたＨＮＢ２１０、すなわち、対応するサイト２３０の近傍内で使用するために認可された、または加入しているＨＮＢ２１０によってアクセスを与えられる。
【００１５】
ＨＮＢ（以降「フェムトセル」）の使用モデルの１つは、「制限された関連付け」を含む。すなわち、１つまたは複数のフェムトセルがあらかじめ関連付けられ、（たとえば人の家に中に）設置されるサイトの所有者に認可された、またはその所有者が加入している適合性のあるＵＥ（以降、「端末」または「端末デバイス」）にネットワークアクセスを与えることが許可されるが、それらの同じフェムトセルは、他の（たとえば無関連のまたは異なる）（１人または複数の）セルラーネットワーク加入者には、ネットワークアクセスを許さない。この制限された関連付けまたは許されなかったネットワークアクセスはもちろん、制限された関連付けモデルの特徴がなければ、所与のフェムトセルによってネットワークアクセスを得ることができる、異なる端末デバイスをカバーする。すなわち、フェムトセル技術に適合する異なる端末デバイスが存在しており、フェムトセルによって使用されるスペクトルが認可されたセルラーネットワークに加入しており、フェムトセルの物理的近傍（カバレージ内）にあったとしても、その異なる端末が識別されて、アクセスを与えられるのでなければ、および与えられるまで、その異なる端末デバイスは近位のフェムトセルへのアクセスが許されない。
【００１６】
制限された関連付けモデルの１つの特徴は、ゲスト端末が、フェムトセルと通信し（またより一般的には、複数のフェムトセルの中のいずれかのセルと通信し）、インターネット２４０への、およびそれによって接続２４５を介するマクロモバイルオペレータコアネットワーク２５０への認可されたネットワークアクセスを得ることを明確に許すことである。このコンテキストでは、ゲスト端末は、上述のあらかじめ関連付けられた端末デバイスとは異なるユーザ機器である。そのような明示的許容（以降「ゲストステータス」）は、時間期間限定ベース、または時間無制限ベースのいずれかで与えられる。
【００１７】
一実施形態では、端末デバイスは、特定のフェムトセル使用にあらかじめ関連付けられる。そのような実施形態では、端末デバイスは、その端末デバイスを端末デバイスが使用することを許された（１つまたは複数の）特定のフェムトセルに関連付ける情報を記憶することができる。この情報は、特定の解決策に応じて、いくつかの形式で、様々なフィールドとコンテンツとともに表し、記憶することができる。表１に、そのような表現の可能な一例をリレーショナルデータベースの形式で示す。表１を占めるデータは、図１に示すように可能な例示的なフェムトセルと端末デバイスとの関連付けに対応する。
【表１】
2011501525.tif 000003
【００１８】
したがって、表１は、特定の端末デバイスと１つまたは複数のフェムトセルとの間の関連付けを表す。図示の例では、４つの端末デバイス（１０６ｅ、１０６ｋ、１０６ｇ、および１０６ｌ）の各々が１つまたは複数のフェムトセルとの関連付けを与えられる。もちろん、端末デバイスとフェムトセルとの間の関連付けは、表の行１、２および行３、４に示すように各々２つのみに限定されず、実際、端末デバイスは、追加のフェムトセルとの関連付けを生じさせる行／記録を有することがある。さらに、特定のコアネットワーク加入者とその加入者に認可された０または１つ以上のフェムトセルとの間の関係を定義する追加の関係が可能である。代替の実施形態では、たとえば、特定の加入者と、０または１つ以上の端末デバイス（「加入者端末デバイス」）との間の関係を生じさせるためにいくつかの関係が加えられることがある。
【００１９】
次に、制限された関連付け使用モデルの説明を続けると、マクロモバイルオペレータコアネットワーク２５０は、どの端末デバイスがどのフェムトセルへのアクセスを許可されているかを示す、表１と同様のデータベースを記憶することができる。一実施形態では、場合によっては追加のゲストステータス許可と、場合によってはゲストのステータスの有効期間を表す情報を含めて、ゲスト端末デバイスがこのデータベースに入力される。このようにして、もし有効なゲストステータス期間が満了した場合は、ゲストステータス情報は無効または非アクティブと示されるか、特定のネットワークデータベースから削除される。したがって、フェムトセルを介してネットワークにアクセスするゲスト端末デバイスによる以後の試みは拒絶され、ゲスト端末デバイスは代替ネットワークアクセス方法を使用するように指示される。代替的に、ゲスト端末デバイスはフェムトセルを使用し続けることを許されるが、限定された帯域幅などのアクセス制限、またはマクロモバイルオペレータコアネットワーク２５０のオペレータによって適用され得る料金などのアクセス制約が伴う。
【００２０】
以下で詳細に説明する追加の実施形態は、ゲスト端末デバイスが設置されたサイトに近位のとき、ゲスト端末デバイスが認可されたフェムトセルを発見できるようにする情報のトランザクションを可能にする。一実施形態では、フェムトセルデータベースエントリ（「ＦＤＥ」）が使用される。次のＦＤＥの各またはいずれかの組合せにおける情報が同じであるとしても、ＦＤＥは、ホーム端末デバイスに記憶されるときは「Ｈｏｍｅ  ＦＤＥ」と示され、ゲスト端末デバイスに記憶されるときは「Ｇｕｅｓｔ  ＦＤＥ」と示され、コアネットワークに記憶されるときは「Ｃｏｒｅ  ＦＤＥ」と示される。もちろん、端末デバイスは、今説明したようにＨｏｍｅ  ＦＤＥを記憶することができ、他のＦＤＥまたはアクセスすることを許される他のフェムトセルに関する他の同様に構造化された情報でさえも含むことができる。たとえば、Ｈｏｍｅ  ＦＤＥに加えて、ユーザのネットワーク端末デバイスは、ユーザの事業所に設置されたフェムトセルと関連付けるＦＤＥを含むことができる。
【００２１】
いくぶんより形式的に、図３に示すように、上記の方法をシステム３００の流れ図によって示す。詳細には、ホスト端末デバイスからゲスト端末デバイスへのフェムトセル情報のトランザクションを可能にするための方法は、フェムトセルに関する情報を記憶することと（動作３１０参照）、前記フェムトセルに関する前記情報をゲスト端末デバイスに転送することと（動作３１５）、ゲスト端末デバイスにフェムトセルネットワークアクセスを許可することと（動作３２０）、ゲスト端末デバイスへのネットワークアクセスを確立することと（動作３３０）を含む動作を含む。図示のように、フェムトセルネットワークアクセスを許可する動作と、フェムトセルネットワークアクセスを確立する動作とは異なる別々の動作であり、単にネットワークアクセスを許可することは、ネットワークアクセスを確立することを要求する必要はない。もちろん、ゲスト端末デバイスにフェムトセルネットワークアクセスを許可することは、永続的な許可ではないことができ、したがって、システム３００がゲスト端末デバイスへのネットワークアクセスを終了するための動作（３４０）を含む。
【００２２】
図４は、一実施形態による、アクセスデータベースエントリを確立するためのシステム４００の流れ図である。オプションとして、本システム４００は、図１〜図３のアーキテクチャおよび機能に関連して実装されることができる。ただし、もちろん、システム４００または本明細書中の動作は、任意の所望の環境において実施されることができる。
【００２３】
システム３００およびシステム４００が多種多様な特徴をサポートするようにフレキシブルなので、アクセスデータベースエントリを確立するためのホスト端末デバイスからのトランザクションを開始する様々な技法もフレキシブルである。実際は、トランザクションは、フェムトセルが設置されているサイトの所有者に認可された（または加入でカバーされた）移動端末デバイスを使用して開始される。または、適切なプロトコルに従う限り、モバイルまたはモバイルではない無認可のデバイスからのアクセス要求によって開始されることがある（動作４１０参照）。この無認可のデバイスは、ブラウザコードまたはブラウザのようなコードを実行することが可能なデスクトップまたはラップトップあるいは他のコンピューティングデバイスとすることができる。いくつかの実施形態では、トランザクションを開始する際に使用されるデバイスが対象サイトの所有者以外の誰かに認可された移動端末デバイスであることも可能である。
【００２４】
これらの場合のいずれかでは、トランザクションに関与するフェムトセルの加入者または被認可者の識別情報は、トランザクションプロトコルの過程で検索され、その後課金の割当ておよび他の目的のために使用されることができる。論じる多数の例では、「ホームユーザ」は対象のフェムトセルが設置されているサイトの所有者である人（またはエンティティ）と同じ人（またはエンティティ）を指すとみなすと便利である。ただし、いつトランザクションを開始すべきかという選定が「アドホック」である（たとえば、ゲストがフェムトセルアクセスの必要性を示した直後）、またはトランザクションがアプリオリ（a priori）に、およびバッチでも開始できることを理解されたい。トランザクションを行うユーザは、適切な資格証明を与えることが可能な人またはエンティティであることもあり得る（動作４２０参照）。一実施形態では、トランザクションを行うユーザは、ゲストのグループに「登録する」ことが許可されたコアネットワーク従業員またはエージェント（ヒューマンエージェントまたはコンピューティングエージェント）でもよい。そのようなケースは、たとえば、会議主催者が、そのようなサービスに選ばれた（支払った）特定の出席者（以降（１人または複数の）「あらかじめ許可されたゲスト」）だけに、会議設備内のフェムトセルアクセスをあらかじめ許可することを決めるときである。
【００２５】
続けて、トランザクションを行うユーザは、ユーザの端末デバイスで実行することが可能なアプリケーションを呼び出すことができる（たとえば、このアプリケーションは、サンディエゴ、カリフォルニアのクゥアルコム・インコーポレイテッドによるＢＲＥＷとされることができる）。または、トランザクションを行うユーザは、上述の無認可のデバイスからアプリケーションまたはアプレットを呼び出すことができる。一実施形態では、このタイプのトランザクションは支払い請求可能なイベントであり、マクロモバイルオペレータコアネットワーク２５０オペレータは、以後のネットワーク使用量とは無関係でも、単にトランザクションを実行するための収入を得ることができる。例示的な実施形態では、上述のアプリケーションは、（たとえばグラフィカルユーザインターフェースによって）一連のオプションを提示することがあり、これらオプションは（ａ）ゲストアクセス有効期間の最大継続時間、（ｂ）アクセスが無料であるゲストアクセス有効期間の継続時間、（ｃ）明示的制限（たとえば、インターネットアドレスまたはインターネットアプリケーションへのアクセスが制限される）、または（ｄ）明示的許容、たとえば９１１の呼出しがいつでも許可されることを含むがこれらに限定されない（動作４３０参照）。もちろん、そのようなアプリケーションまたはアプレットは、デフォルト構成または構成のグルーピング、あるいは、場合によっては制限モード、プロミスキャスモード、無料モードなどを含むモードを提示し、動作４３０に従属する多数のトランザクションを伴うことができる。逆にアプレットによるコアネットワークへの明示的トランザクションは、単にオプションでもよい。アプリケーションまたはアプレットの実行は、任意の数のネットワークアクセス、およびクライアント（たとえば端末デバイス）とサーバ（たとえばコアネットワーク）との間の通信のためのプロトコルを伴い、任意の数のクライアントサーバ間トランザクションを含むことがあることを、当業者なら直ちに認識されよう。
【００２６】
次に、確認されている有効な加入者の資格証明を用いて、トランザクションを行うユーザは、たとえば、ゲストユーザの端末デバイスの電話番号を与えることによって、ゲストユーザを識別する。一実施形態では、トランザクションを行うユーザによって要求および提供される情報は、単にゲストユーザの端末デバイスの電話番号に限定される。もちろん、ゲストユーザの端末デバイスの識別の他の手段が容易に利用可能であり、（１つまたは複数の）そのような識別技法は利用可能なネットワーク上のゲストユーザの端末デバイスを一意にアドレス指定するために使用される。
【００２７】
次いで、したがって（ａ）適切に証明された加入者と、（ｂ）加入者と０または１つ以上のフェムトセルとの間の関係を含むデータベースと、（ｃ）ゲストユーザの端末デバイスをアドレス指定する能力と、を有するコアネットワークは、場合によっては、ゲストアクティブ化有効時間量、無料時間制限、明示的制限および明示的許容を随意に含むゲスト確認を含む１つまたは複数の確認交換を介して、ゲストユーザの端末デバイスを通してゲストユーザに係合（engage）することができる（動作４４０参照）。
【００２８】
ゲストユーザの同意を得ると、マクロモバイルオペレータコアネットワーク２５０は、すでに証明された所有者に対応するＨｏｍｅ  ＦＤＥを検索する。そのような検索しは、ホーム端末へのそのＨｏｍｅ  ＦＤＥの要求を介してマクロモバイルオペレータコアネットワーク２５０によって自律的に実行されるか、または許可するトランザクションが無認可の端末（ブラウザデバイス）を使用して実行されていた場合、そのような取出しは、マクロモバイルオペレータコアネットワーク２５０内で開始されたデータベースアクセスを通して、マクロモバイルオペレータコアネットワーク２５０によって自律的に実行される（動作４５０）。いずれの場合も、コアネットワークは、検索されたＦＤＥのコンテンツを検証し（動作４６０）、それをマクロセルアクセス２７０を含む経路を使用してゲスト端末デバイスに転送し、ゲスト端末デバイスはそのＦＤＥをＧｕｅｓｔ  ＦＤＥとして表し、記憶する（動作４７０）。
【００２９】
ゲスト端末デバイスによって報告される正常なダウンロードを確認すると（動作４８０）、マクロモバイルオペレータコアネットワーク２５０は、上述の機能、制限および明示的許可／拒否特性を有するゲスト加入を示すアクセスデータベースエントリを確立する。
【００３０】
次に、図３に戻ると、動作３１０は、場合によってはＦＤＥを含み、場合によっては一部または全部の許可／拒否特性を含む、少なくとも１つのアクセスデータベースエントリの確立を含む。いくつかの実施形態では、アクセス記録はメモリ中に記憶されるか、または何らかの不揮発性デバイスに記憶される。ただし、動作３１０の範囲内で、アクセスエントリが確立されたとしても、対象のフェムトセルへのゲスト端末アクセスはまだ起こらない。実際、動作４８０の実行まで、ゲスト端末デバイスは、マクロセルアクセス２７０を含むネットワーク経路を介してマクロモバイルオペレータコアネットワーク２５０に接続されたままである。様々な実施形態は、ゲスト端末が上述のマクロセル接続を終了し、フェムトセルおよびインターネット２４０を含むネットワーク経路を介してマクロモバイルオペレータコアネットワーク２５０にアクセスし始めることを可能にする（動作３２０および動作３３０および動作６２０参照）。
【００３１】
図５は、一実施形態による、ゲスト端末デバイスにフェムトセルネットワークアクセスを許可するためのシステム５００の流れ図である。オプションとして、本システム５００は、図１〜図４のアーキテクチャおよび機能に関連して実装されることができる。ただし、もちろん、システム５００または本明細書中の動作は、任意の所望の環境において実施されることができる。
【００３２】
動作４７０の説明に従って、ゲスト端末デバイスは、動作４１０〜４７０のうちの１つまたは複数の実行の結果としてＨｏｍｅ  ＦＤＥのコピーを受信する。この時点で、ゲスト端末デバイスは、たった今受信したＦＤＥのコンテンツを解釈する。いくつかの実施形態では、ゲスト端末デバイスは、１つまたは複数のフェムトセルの論理地図が構築できる程度までＦＤＥデータフィールドを解釈する（動作５１０参照）。そのような地図は、フェムトセル毎ベースの情報を含み、表２は、可能な多数のマッピングのうちの１つだけを示す。
【表２】
2011501525.tif 000004
【００３３】
表２のセルを占める値は、図１に記載されているフェムトセルに対応する。もちろん、これはあくまで一例であり、多くの他のマッピングが可能であり、想定される。実際は、コンスタレーション（constellation）におけるフェムトセルの位置に関する情報を含むローカルフェムトセルコンスタレーションデータベースはゲスト端末によって構築され、その一例を表３に示す。
【表３】
2011501525.tif 000005
【００３４】
そのようなコンスタレーションデータベースが構築される場合、ゲスト端末デバイスはマクロモバイルオペレータコアネットワーク２５０に様々なコンスタレーションデータを要求し、次いでゲスト端末デバイスは、様々に使用するためにそのようなデータを解釈し、記憶する。次いで、ＦＤＥがゲスト端末に記憶されるといつでも、ゲスト端末は、近位のフェムトセルネットワーク中の少なくとも１つのフェムトセルを探索し、それと通信を開始するために必要な情報を所有することができる（動作５２０参照）。例示的な実施形態では、ゲスト端末は、ＦＤＥによって表される、１つまたは複数の特定のフェムトセルの近傍にある状態を認識し、そのようなフェムトセルのアクティブ探索を開始する。もちろん、ＳＩＤ／ＮＩＤ、マクロＢＳセット（Macro BS Set）、パイロットＥｃ／Ｉｏしきい値ベクトル（Pilot Ec/Io Threshold Vector）、平均パイロット位相ベクトル（Mean Pilot Phase Vector）、および／またはパイロット位相偏移ベクトル（Pilot Phase Deviation Vector）の中からのいずれかの値または値の組合せは、ゲスト端末が１つまたは複数のフェムトセルの近傍にある状態を検出するのを助けることができ、ゲスト端末が対象のフェムトセルを見つけるのを助けることができる。１つまたは複数の対象のフェムトセルとの通信が取得されると、（ＢＡＳＥ＿ＩＤ、ＬＡＴ、ＬＯＮなどのパラメータを含む）ＦＤＥの追加の情報により対象のフェムトセルを確実に識別することができ、その時点で、ゲストデバイスの認証ゲストデバイスの認証が確認されることができ、そのフェムトを使用する許可そのフェムトを使用する許可が与えられることができる。
【００３５】
さらに、ゲスト端末デバイスにフェムトセルネットワークアクセスを許可するためのシステム５００に関連して、マクロモバイルオペレータコアネットワーク２５０はゲスト端末デバイスの記録を開始し、それによりＬＵＤ、時間ベースの使用量、およびデータ転送速度ベースの使用量などを測定する（動作５４０）。次に、識別および認証が完了し、記録プロセスが開始すると、マクロモバイルオペレータコアネットワーク２５０はゲスト端末デバイスがアクセスできるようにするためにゲスト端末およびフェムトセルを許可する（動作５５０）。これで、ゲスト端末デバイスは、少なくとも１つのフェムトセル、およびインターネット２４０を介する少なくとも１つの経路（図示せず）を含むネットワーク経路セグメント２３５および２４５を通るマクロモバイルオペレータコアネットワーク２５０へのネットワークアクセスを許可される。これで、ゲスト端末デバイスは、選択されたフェムトセルとの通信を試みることができる。ゲスト端末は、少なくとも１つのフェムトセル、およびインターネット２４０を介する少なくとも１つの経路を含むネットワーク経路を通るマクロモバイルオペレータコアネットワーク２５０へのネットワークアクセスを含み、そのように許可されたネットワーク経路およびコアネットワーク設備を使用することができる。
【００３６】
図６は、一実施形態による、ゲスト端末デバイスへのフェムトセルネットワークアクセスを管理するためのシステム６００の流れ図である。オプションとして、本システム６００は、図１〜図５のアーキテクチャおよび機能に関連して実装されることができる。ただし、もちろん、システム６００または本明細書中の動作は、任意の所望の環境において実施されることができる。
【００３７】
もちろん、上述のように、マクロモバイルオペレータコアネットワーク２５０へのネットワークアクセスは時間が限定されることがある。したがって、本発明の実施形態は、場合によってはタイムスタンプの使用を含む、時間に基づいてアクセスを限定する技法の使用を含む。図６に示すように、時間ベースの管理のための１つの技法は、同時に、非同期で実行する複数のプロセスを採用する。詳細には、ゲスト端末デバイスへのネットワークアクセスを確立するための動作は、同時に実行しているプロセスＰ１およびＰ２（それぞれ、動作６１０および動作６６０）を生成することを含む。
【００３８】
マクロモバイルオペレータコアネットワーク２５０への許可されたネットワークアクセスの一般的な場合では、ゲスト端末デバイスは、少なくとも有効期間の間、場合によっては、セル間呼、セル陸線間呼、ＳＭＳメッセージング、ブラウジングまたはチャットなどのインターネットアクセス、任意の数の許可されたフェムトセル間のローミングなどを含む、ゲストの加入契約の下でサポートされる目的のためにネットワークを使用することが可能である。有効期間が満了しない限り、そのような一般アクセスは本発明の実施形態に関連してサポートされる（動作６２０および判断６３０参照）。しかしながら、有効期間の満了時に、一般ネットワークアクセスは終了され、様々なゲスト関連リソースは解放される（動作６３５、６８５、６４０および６９０）。
【００３９】
許可されたネットワークアクセスと並列に、タイマ初期化ステップ（動作６６５）および時間監視ステップ（動作６７０、６７５および判断６８０）は、対象のフェムトセルを介するネットワークアクセスを有効期間の満了時に終了することを実施する。もちろん、対象のフェムトセルを介するネットワークアクセスを許可するゲストステータスの終了により、必ずしもさらに他のネットワークアクセスを終了するわけではなく、一般に、ゲストステータスの終了時に、ゲスト端末デバイスは、ネットワークアクセス機構を交替するために宛て先変更されることができる。有効性の満了時に、マクロモバイルオペレータコアネットワーク２５０は、ゲスト加入を無効にする（動作６９５）。同様に、ゲスト端末デバイスは、そのデータベースから対応するＦＤＥエントリを削除することができる。
【００４０】
図７Ａは、一実施形態による、ゲスト端末デバイスへのフェムトセルネットワークアクセスを管理するためのプロトコル７０１を示す。オプションとして、プロトコル７０１は、図１〜図６のアーキテクチャおよび機能に関連して実装されることができる。ただし、もちろん、プロトコル７０１または本明細書中の動作は、任意の所望の環境において実施されることができる。
【００４１】
図７Ａに示すように、トランザクションステップ７０２において、フェムトセルは、ゲスト端末がアクセスを必要としているという要求をトランザクションを行う端末に送信する。プロトコルトランザクションは、それぞれ次の（連続的に下位の）トランザクションを読み取ることによって上から下まで解釈することによって理解されるか、特定のコントリビュータ（たとえば「トランザクションを行う端末（Transacting Terminal）」）の観点から理解されることができる。たとえば、トランザクションを行う端末は、（ａ）ゲスト端末４１０を許可する要求を送信すること、および（ｂ）ゲスト端末識別情報を送信すること、随意に（ｃ）ゲストアクセス情報を送信することを含むトランザクションステップを動作させる。別の例として、フェムトセル（すなわち、「フェムトセル（Femto Cell）」）の観点からは、トランザクションステップは、（ａ）ゲスト要求５２０を受信すること、（ｂ）ゲスト資格証明を受信すること、（ｃ）フェムトベースのゲストセッションを確立すること、および（ｄ）フェムトベースのゲストセッションの許可を解除することを含むとされることができる。同様に、ゲスト端末デバイス（すなわち、「ゲスト端末（Guest Terminal）」）の観点からは、トランザクションステップは、（ａ）アクセス確認要求４４０を受信すること、（ｂ）アクセス確認要求確認を処理すること、および（ｃ）フェムトベースのゲストセッションを要求することを含むとされることができる。
【００４２】
本明細書の教示は、様々なタイプの通信デバイスに実装できる場合があることを諒解されたい。いくつかの態様では、本明細書の教示は、複数のワイヤレスアクセス端末のための通信を同時にサポートすることができる多元接続通信システムにおいて展開できるワイヤレスデバイスにおいて実装できる。ここで、各端末は、順方向リンクおよび逆方向リンク上の送信を介して１つまたは複数のアクセスポイントと通信することができる。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、１入力１出力システム、多入力多出力（ＭＩＭＯ）システム、または何らかの他のタイプのシステムを介して確立されることができる。
【００４３】
ＭＩＭＯシステムは、データ送信用の複数（ＮＴ）個の送信アンテナおよび複数（ＮＲ）個の受信アンテナを使用する。ＮＴ個の送信アンテナとＮＲ個の受信アンテナとによって形成されるＭＩＭＯチャネルは、空間チャネルと呼ばれることもあるＮＳ個の独立チャネルに分解でき、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００４４】
ＭＩＭＯシステムは時分割複信（「ＴＤＤ」）および周波数分割複信（「ＦＤＤ」）をサポートする。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【００４５】
本明細書の教示は、少なくとも１つの他のノードと通信するための様々なコンポーネントを使用するノード（たとえば、デバイス）に組み込むことができる。図７Ｂは、ノード間の通信を可能にするために使用されるいくつかの例示的なコンポーネントを示す。特に、図７Ｂは、ＭＩＭＯシステム７００のワイヤレスデバイス７１０（たとえば、アクセスポイント）とワイヤレスデバイス７５０（たとえば、アクセス端末）とを示す。デバイス７１０では、いくつかのデータストリームのトラフィックデータが、データソース７１２から送信（「ＴＸ」）データプロセッサ７１４に与えられる。
【００４６】
いくつかの態様では、各データストリームは、それぞれの送信アンテナを介して送信される。ＴＸデータプロセッサ７１４は、符号化データを供給するために、そのデータストリーム用に選択された特定の符号化方式に基づいて、データストリームごとにトラフィックデータをフォーマットし、符号化し、インタリーブする。
【００４７】
各データストリームの符号化データは、ＯＦＤＭ技法を使用してパイロットデータと多重化されることができる。パイロットデータは、一般に、知られている方法で処理される、知られているデータパターンであり、チャネル応答を推定するために受信機システムで使用されることができる。次いで、各データストリームの多重化されたパイロットデータと符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ７３０によって実行される命令によって決定されることができる。データメモリ７３２は、プロセッサ７３０またはデバイス７１０の他のコンポーネントによって使用されるプログラムコード、データおよび他の情報を記憶することができる。
【００４８】
次いで、すべてのデータストリームの変調シンボルが、（たとえば、ＯＦＤＭの場合）その変調シンボルをさらに処理することができる、ＴＸ  ＭＩＭＯプロセッサ７２０に供給される。次いで、ＴＸ  ＭＩＭＯプロセッサ７２０は、ＮＴ個の変調シンボルストリームをＮＴ個のトランシーバ（「ＸＣＶＲ」）７２２Ａ〜７２２Ｔに供給する。いくつかの態様では、ＴＸ  ＭＩＭＯプロセッサ７２０は、データストリームのシンボルと、シンボルが送信されるアンテナとにビームフォーミング重みを付加する。
【００４９】
各トランシーバ７２２は、１つまたは複数のアナログ信号を提供するために、それぞれのシンボルストリームを受信して処理し、さらに、ＭＩＭＯチャネルを介して送信するのに適した変調信号を提供するために、それらのアナログ信号を調整（たとえば、増幅、フィルタリング、およびアップコンバート）する。次いで、トランシーバ７２２Ａ〜７２２ＴからのＮＴ個の変調信号は、それぞれ、ＮＴ個のアンテナ７２４Ａ〜７２４Ｔから送信される。
【００５０】
デバイス７５０では、送信された変調信号はＮＲ個のアンテナ７５２Ａ〜７５２Ｒによって受信され、各アンテナ７５２からの受信信号は、それぞれのトランシーバ（「ＸＣＶＲ」）７５４Ａ〜７５４Ｒに供給される。各トランシーバ７５４は、調整された信号をデジタル化して、サンプルを提供するために、それぞれの受信信号を調整（たとえば、フィルタリング、増幅、およびダウンコンバート）し、さらに、対応する「受信」シンボルストリームを提供するために、それらのサンプルを処理する。
【００５１】
次いで、受信（「ＲＸ」）データプロセッサ７６０は、ＮＴ個の「検出」シンボルストリームを提供するために、特定の受信機処理技法に基づいてＮＲ個のトランシーバ７５４からＮＲ個の受信シンボルストリームを受信して処理する。次いで、ＲＸデータプロセッサ７６０は、データストリームのトラフィックデータを復元するために、各検出シンボルストリームを復調し、デインターリーブし、復号する。ＲＸデータプロセッサ７６０による処理は、デバイス７１０におけるＴＸ  ＭＩＭＯプロセッサ７２０およびＴＸデータプロセッサ７１４によって実行される処理を補完するものである。
【００５２】
プロセッサ７７０は、どのプリコーディング行列（以下で論じる）を使用すべきかを定期的に判断する。プロセッサ７７０は、行列インデックス部とランク値部とを備える逆方向リンクメッセージを作成する。データメモリ７７２は、プロセッサ７７０またはデバイス７５０の他のコンポーネントによって使用されるプログラムコード、データおよび他の情報を記憶することができる。
【００５３】
逆方向リンクメッセージは、通信リンクおよび／または受信データストリームに関する様々なタイプの情報を備えることができる。次いで、逆方向リンクメッセージは、データソース７３６からいくつかのデータストリームのトラフィックデータをも受信するＴＸデータプロセッサ７３８によって処理され、変調器７８０によって変調され、トランシーバ７５４Ａ〜７５４Ｒによって調整され、デバイス７１０に戻される。
【００５４】
デバイス７１０において、デバイス７５０からの変調信号は、デバイス７５０によって送信された逆方向リンクメッセージを抽出するために、アンテナ７２４によって受信され、トランシーバ７２２によって調整され、復調器（「ＤＥＭＯＤ」）７４０によって復調され、ＲＸデータプロセッサ７４２によって処理される。次いで、プロセッサ７３０は、ビームフォーミング重みを決定するためにどのプリコーディング行列を使用すべきかを判断し、次いで、抽出されたメッセージを処理する。
【００５５】
本明細書の教示は、様々なタイプの通信システムおよび／またはシステムコンポーネントに組み込まれることができる。いくつかの態様では、本明細書の教示は、利用可能なシステムリソースを共有することによって（たとえば、帯域幅、送信電力、符号化、インタリーブなどのうちの１つまたは複数を指定することによって）、複数のユーザとの通信をサポートすることが可能な多元接続システムで使用されることができる。たとえば、本明細書の教示は、符号分割多元接続（Code Division Multiple Access）（「ＣＤＭＡ」）システム、多重キャリアＣＤＭＡ（Multiple-Carrier CDMA）（「ＭＣＣＤＭＡ」）、広帯域ＣＤＭＡ（Wideband CDMA）（「Ｗ−ＣＤＭＡ」）、高速パケットアクセス（High-Speed Packet Access）（「ＨＳＰＡ」、「ＨＳＰＡ＋」）システム、時分割多元接続（Time Division Multiple Access）（「ＴＤＭＡ」）システム、周波数分割多元接続（Frequency Division Multiple Access）（「ＦＤＭＡ」）システム、単一搬送波ＦＤＭＡ（Single-Carrier FDMA）（「ＳＣ−ＦＤＭＡ」）システム、直交周波数分割多元接続（Orthogonal Frequency Division Multiple Access）（「ＯＦＤＭＡ」）システム、または他の多元接続技法の技術のいずれか１つまたは組合せに適用されることができる。本明細書の教示を使用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計されることができる。ＣＤＭＡネットワークは、汎用地上波無線アクセス（Universal Terrestrial Radio Access）（「ＵＴＲＡ」）、ｃｄｍａ２０００、または何らかの他の技術などの無線技術を実装することができる。ＵＴＲＡは、Ｗ−ＣＤＭＡおよび低チップレート（Low Chip Rate）（「ＬＣＲ」）を含む。ｃｄｍａ２０００技術は、ＩＳ−２０００、ＩＳ−９５、およびＩＳ−８５６規格をカバーする。ＴＤＭＡネットワークは、広域移動体通信システム（Global System for Mobile Communications）（「ＧＳＭ」）などの無線技術を実装することができる。ＯＦＤＭＡネットワークは、進化型ＵＴＲＡ（Evolved UTRA）（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、ユニバーサル移動体通信システム（Universal Mobile Telecommunication System）（「ＵＭＴＳ」）の一部である。本明細書の教示は、３ＧＰＰロングタームエボリューション（3GPP Long Term Evolution）（「ＬＴＥ」）システム、ウルトラモバイルブロードバンド（Ultra-Mobile Broadband）（「ＵＭＢ」）システム、および他のタイプのシステムで実装されることができる。ＬＴＥは、Ｅ−ＵＴＲＡを使用するＵＭＴＳのリリースである。本開示のいくつかの態様は３ＧＰＰ用語を使用して説明されることができるが、本明細書の教示は、３ＧＰＰ（Ｒｅｌ９９、Ｒｅｌ５、Ｒｅｌ６、Ｒｅｌ７）技術、ならびに３ＧＰＰ２（ＩｘＲＴＴ、１ｘＥＶ−ＤＯ  Ｒｅｌ０、ＲｅｖＡ、ＲｅｖＢ）技術および他の技術に適用されることができることを理解されたい。
【００５６】
本明細書の教示は、様々な装置（たとえば、ノード）に組み込まれる（たとえば、装置内に実装される、または装置によって実行される）ことができる。いくつかの態様では、本明細書の教示に従って実装されるノード（たとえば、ワイヤレスノード）は、アクセスポイントまたはアクセス端末を備えることができる。
【００５７】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備える、いずれかとして実装される、またはいずれかとして知られることができる。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人情報端末）、娯楽デバイス（たとえば、音楽デバイスまたはビデオデバイス、あるいは衛星ラジオ）、全地球測位システムデバイス、あるいはワイヤレス媒体を介して通信するように構成される他の好適デバイスに組み込まれることができる。
【００５８】
アクセスポイントは、ＮｏｄｅＢ、ｅＮｏｄｅＢ、無線ネットワーク制御装置（「ＲＮＣ」）、基地局（「ＢＳ」）、無線基地局（「ＲＢＳ」）、基地局制御装置（「ＢＳＣ」）、送受信基地局（「ＢＴＳ」）、トランシーバ機能（「ＴＦ」）、無線トランシーバ、無線ルータ、基本サービスセット（「ＢＳＳ」）、拡張サービスセット（「ＥＳＳ」）、または何らかの他の同様の用語を備える、いずれかとして実装される、またはいずれかとして知られることができる。
【００５９】
いくつかの態様では、ノード（たとえば、アクセスポイント）は、通信システムのためのアクセスノードを備えることができる。そのようなアクセスノードは、たとえば、ネットワークへの有線またはワイヤレス通信リンクを介した、ネットワーク（たとえば、インターネットまたはセルラーネットワークなどワイドエリアネットワーク）のための、またはネットワークへの接続性を与えることができる。したがって、アクセスノードは、別のノード（たとえば、アクセス端末）がネットワークまたは何らかの他の機能にアクセスできるようにすることができる。さらに、一方または両方のノードはポータブルでもよく、場合によっては比較的非ポータブルでもよいことを諒解されたい。
【００６０】
また、ワイヤレスノードは、有線の方式で（たとえば、有線接続を介して）情報を送信および／または受信することができることを諒解されたい。したがって、本明細書で論じる受信機および送信機は、非ワイヤレス媒体を介して通信するために適切な通信インターフェースコンポーネント（たとえば、電子的または光学的インターフェースコンポーネント）を含むことができる。
【００６１】
ワイヤレスノードは、好適なワイヤレス通信技術に基づくあるいはサポートする１つまたは複数のワイヤレス通信リンクを介して通信することができる。たとえば、いくつかの態様では、ワイヤレスノードは、ネットワークに関連付けることができる。いくつかの態様では、ネットワークは、ローカルエリアネットワークまたはワイドエリアネットワークを備えることができる。ワイヤレスデバイスは、本明細書で説明するような様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができる。同様に、ワイヤレスノードは、様々な対応する変調方式または多重化方式のうちの１つまたは複数をサポートまたは使用することができる。したがって、ワイヤレスノードは、上記または他のワイヤレス通信技術を使用して１つまたは複数のワイヤレス通信リンクを確立し、それを介して通信するために適切なコンポーネント（たとえば、エアインターフェース）を含むことができる。たとえば、ワイヤレスノードは、ワイヤレス媒体上の通信を可能にする様々なコンポーネント（たとえば、信号発生器および信号処理器）を含むことができる関連する送信機コンポーネントおよび受信機コンポーネントをもつワイヤレストランシーバを備えることができる。
【００６２】
図８は、本明細書で説明する追加の態様によるシステム８００の例示的なブロック図を示す。システム８００は、フェムトセルを介するゲスト端末アクセスを管理することを可能にすることができる装置を提供する。特に、システム８００は、それぞれ通信リンク８０５に接続された複数のモジュールまたは手段を含むことができ、通信リンク８０５を介して他のモジュールまたは手段と通信することができる。装置のモジュールは個々に、または組合せで、フロー３００のステップを実行することができる。
【００６３】
図９は、本明細書で説明する追加の態様によるシステム９００の例示的なブロック図を示す。システム９００は、フェムトセル情報をゲスト端末に転送することを可能にすることができる装置を与える。特に、システム９００は、それぞれ通信リンク９０５に接続された複数のモジュールまたは手段を含むことができ、通信リンク９０５を介して他のモジュールまたは手段と通信することができる。装置のモジュールは個々に、または組合せで、フロー４００のステップを実行することができる。たとえば、システム９００の装置は、フェムトセルアクセスデータベースエントリ９１０を確立するための任意の数のトランザクションを開始することができ、ゲスト端末デバイス９８０による通信の正常受信を確認することを含む、ゲスト端末デバイスを構成するための任意の数のトランザクションを実行することができる。
【００６４】
図１０は、本明細書で説明する追加の態様によるシステム１０００の例示的なブロック図を示す。システム１０００は、フェムトセル情報をゲスト端末に転送することを可能にすることができる装置を提供する。特に、システム１０００は、それぞれ通信リンク１００５に接続された複数のモジュールまたは手段を含むことができ、通信リンク１００５を介して他のモジュールまたは手段と通信することができる。装置のモジュールは個々に、または組合せで、フロー５００のステップを実行することができる。たとえば、システム１０００の装置は、ゲスト端末情報検索を管理し１０１０、フェムトセルを探索し１０２０、ならびに使用量および料金プロセスを開始する１０３０ことができる。
【００６５】
本明細書は本発明の特定の例を記載しているが、当業者なら、発明の概念を逸脱することなく本発明の変形物を考案することができる。たとえば、本明細書における教示は、回路交換ネットワーク要素とパケット交換ドメインネットワーク要素との任意の組合せを備えることができるコアネットワークを指す。
【００６６】
情報および信号は、様々な異なる技術および技法のいずれを使用しても表すことができることを、当業者なら理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【００６７】
さらに、本明細書で開示した例に関連して説明した様々な例示的な論理ブロック、モジュール、回路、方法およびアルゴリズムは、電子ハードウェア、コンピュータソフトウェア、または両方の組合せとして実施できることを、当業者なら理解されよう。ハードウェアとソフトウェアのこの互換性を明確に説明するために、様々な例示的なコンポーネント、ブロック、モジュール、回路、方法、およびアルゴリズムについて、概してそれらの機能に関して上記で説明した。そのような機能をハードウェアで実装するかソフトウェアで実装するかは、システム全体に課せられた特定の適用および設計上の制約に依存する。当業者なら、説明した機能を特定の適用例ごとに様々な方法で実装することができるが、そのような実装の決定は、本発明の範囲からの逸脱を生じるものと解釈すべきではない。
【００６８】
本明細書で開示した例に関連して説明した様々な例示的なシステム、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、個別のゲートまたはトランジスタ論理、個別のハードウェアコンポーネント、あるいは本明細書で説明した機能を実行するように設計されたそれらの任意の組合せを用いて実装または実施できる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装されることができる。
【００６９】
本明細書で開示した例に関して説明した方法またはアルゴリズムは、直接ハードウェアで、プロセッサによって実行されるソフトウェアモジュールで、またはその２つの組合せで実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。記憶媒体は、プロセッサがその記憶媒体から情報を読むことができ、その記憶媒体に情報を書き込むことができるようにプロセッサに結合できる。代替として、記憶媒体はプロセッサに一体化することができる。プロセッサおよび記憶媒体はＡＳＩＣ中に常駐することができる。
【００７０】
１つまたは複数の例示的な実施形態では、説明した機能はハードウェア、ソフトウェア、ファームウェア、またはその任意の組合せで実装されることができる。ソフトウェアで実装する場合、機能は、１つまたは複数の命令またはコードとしてコンピュータ可読媒体上に記憶されるか、あるいはコンピュータ可読媒体を介して送信されることができる。コンピュータ可読媒体は、コンピュータ記憶媒体と、ある場所から別の場所へのコンピュータプログラムの転送を可能にするいかなる媒体をも含む通信媒体との両方を含む。記憶媒体は、コンピュータによってアクセスされることができる任意の利用可能な媒体でよい。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または、命令もしくはデータ構造の形態の所望のプログラムコードを運搬または記憶するために使用でき、コンピュータによってアクセスできる他の任意の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書では、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００７１】
開示した例の前述の説明は、当業者が本発明を製作または使用できるように与えられている。これらの例の様々な変更形態は、当業者には容易に明らかになるものであり、本明細書で定義した一般原理は、本開示の趣旨または範囲から逸脱することなく他の例に適用できる。したがって、本発明は、本明細書で示した例に限定されるものではなく、本明細書で開示した原理および新規の特徴と合致する最も広い範囲が与えられるべきである。
【図１】
2011501525.tif 000006
【図２】
2011501525.tif 000007
【図３】
2011501525.tif 000008
【図４】
2011501525.tif 000009
【図５】
2011501525.tif 000010
【図６】
2011501525.tif 000011
【図７Ａ】
2011501525.tif 000012
【図７Ｂ】
2011501525.tif 000013
【図８】
2011501525.tif 000014
【図９】
2011501525.tif 000015
【図１０】
2011501525.tif 000016
【国際調査報告】
2011501525.tif 000017
2011501525.tif 000018